(57)【要約】【課題】ロータ逆転時の衝撃力を吸収し、安定した衝撃吸収性能を得ることができる小型かつ軽量構造の逆転防止装置を備えた魚釣用スピニングリールを提供すること。【解決手段】ハンドル１８の操作に連動して軸筒部３２を中心として回転するロータ３０の逆転を防止する逆転防止装置５０を備え、釣糸の繰り出しに伴う衝撃力を緩和する魚釣用スピニングリール１０であって、逆転防止装置５０は、ロータ３０の円筒部４６の内周部にこの円筒部４６に対して回転可能に支持した逆転防止体５２と、ロータ３０が逆転方向に回転したときに、この逆転防止体５２に係合して逆転方向に移動するのを阻止する阻止部材５４と、逆転防止体５４とロータ３０との間に介在されてロータの逆転を阻止するときに、逆転防止体に作用する衝撃力を吸収する弾発部材５６と、この弾発部材５６の変形を抑制する摩擦力を形成するフリクション部材５８とを有する魚釣用スピニングリール。【選択図】  図２
2008043295.tif 000002
【特許請求の範囲】
【請求項１】
ハンドル操作に連動して回転支軸を中心として回転するロータの逆転を防止する逆転防止装置を備え、この逆転防止装置が、ロータの逆転を阻止するときに、釣糸案内部を介する釣糸の繰り出しに伴う衝撃力を緩和する魚釣用スピニングリールであって、
前記逆転防止装置は、前記ロータの円筒部の内周部にこの円筒部に対して所定角度回転可能に支持した逆転防止体と、前記ロータが逆転方向に回転したときに、この逆転防止体に係合してこの逆転防止体が逆転方向に移動するのを阻止する阻止部材と、前記逆転防止体とロータとの間に介在されてロータの逆転を阻止するときに逆転防止体に作用する衝撃力を吸収する弾発部材と、この弾発部材とロータとの少なくとも一方に設けられるフリクション部材とを有することを特徴とする魚釣用スピニングリール。
【請求項２】
前記フリクション部材は、前記逆転防止体に対向する前記弾発部材の端部に設けられる請求項1に記載の魚釣用スピニングリール。
【発明の詳細な説明】
【技術分野】
【０００１】
本発明は、ハンドル操作に連動回転するロータの逆転を防止する逆転防止装置を備えた魚釣用スピニングリールに関する。
【背景技術】
【０００２】
一般に、ハンドル操作に連動回転するロータの逆転を防止する逆転防止装置を備えた魚釣用スピニングリールは、ロータの逆転を防止した状態で釣糸を巻き取っているときに、例えばかかっている大きな魚の引きで、釣糸に急激に過大な引張力が加わって釣糸が切断したり、あるいは急激な衝撃力により逆転防止装置の係止部や支持部が破損したりすることがある。
【０００３】
このような過大な引張作用が釣糸あるいは逆転防止機構に与えるショックを吸収するため、回転阻止手段の操作で回転を阻止される逆転防止部材としてラチェットをロータに対して回転可能に支持させ、これらのロータとラチェットとの間に、衝撃吸収用のコイル状スプリングを有するショックアブソーバを設けたスピニングリールが知られている（例えば特許文献１参照）。
【特許文献１】特開昭６０−３０６３２号公報
【発明の開示】
【発明が解決しようとする課題】
【０００４】
しかし、この従来のスピニングリールは、スプール軸を挿通するピニオン軸あるいはロータを支持する筒状部の外周にラチェットを設け、このロータを支持する筒状部の外周に装着したコイル状スプリングの一端をロータで支持し、他端をラチェットで支持することでショックアブソーバを形成するため、作用するモーメントあるいはトルクの関係上、ロータ逆転時の大きな衝撃力を吸収することができない。
【０００５】
また、ロータの逆転防止時すなわちラチェットが回転阻止手段により回転を阻止され、かつショックアブソーバであるコイル状のスプリングが完全に締付けられたときに、ロータとラチェットとがコイル状のスプリングのそれぞれの端部を介して連結されるため、力を伝達する支持面積が極めて小さく、耐支持強度が不十分であり、耐久性に劣る。また、ラチェットとロータとの間に回転範囲を規制する規制手段を設けた場合であっても、この規制手段はショックアブソータとは別個に、ラチェットの側面から突出させた突起にロータ側から突出させた突起を係合させるもので、力を伝達する支持面積が極めて小さく、十分な耐支持強度が得られず、耐久性に劣る。
【０００６】
本発明は、このような事情に基づいてなされたもので、ロータ逆転時の大きな衝撃力を吸収すると共に、長期間にわたって安定した衝撃吸収性能を得ることができる小型かつ軽量構造の逆転防止装置を備えた魚釣用スピニングリールを提供することを目的とする。
【課題を解決するための手段】
【０００７】
上記目的を達成する本発明の魚釣用スピニングリールは、ハンドル操作に連動して回転支軸を中心として回転するロータの逆転を防止する逆転防止装置を備え、この逆転防止装置が、ロータの逆転を阻止するときに、釣糸案内部を介する釣糸の繰り出しに伴う衝撃力を緩和する魚釣用スピニングリールであって、前記逆転防止装置は、前記ロータの円筒部の内周部にこの円筒部に対して所定角度回転可能に支持した逆転防止体と、前記ロータが逆転方向に回転したときに、この逆転防止体に係合してこの逆転防止体が逆転方向に移動するのを阻止する阻止部材と、前記逆転防止体とロータとの間に介在されてロータの逆転を阻止するときに逆転防止体に作用する衝撃力を吸収する弾発部材と、この弾発部材とロータとの少なくとも一方に設けられるフリクション部材とを有することを特徴とする。
【０００８】
上記のフリクション部材は、逆転防止体に対向する弾発部材の端部に設けられることが好ましい。
【発明の効果】
【０００９】
本発明による魚釣用スピニングリールは、阻止部材に係合する逆転防止体がロータの円筒部の内周部に所定角度回転可能に支持され、弾発部材がフリクション部材と共に衝撃を吸収することにより、この逆転防止体が回転支軸から径方向外方に大きく離間した位置で、フリクション部材による摩擦力の作用を受けつつロータの逆転防止時の衝撃を吸収するため、弾発部材を強力な大型化あるいは重量化することなく、ロータ逆転防止時の大きな衝撃力を吸収することができると共に、逆転防止体を安定した状態で支持することができるため、長期間にわたって安定した衝撃吸収性能を得ることができる。
【００１０】
更に、フリクション部材による摩擦力により、弾発部材を変形させた状態に、少なくとも一時的に保持することができることにより、ロータに対する逆転防止体および弾発部材の組み込みを容易に行うことができる。
【００１１】
このフリクション部材が逆転防止体に対向する弾発部材の端部に設けられる場合には、逆転防止体がこのフリクション部材を介して弾発部材を押圧するため、力を伝達する支持面積が充分大きく、ロータ逆転防止時の安定した衝撃吸収性能を得ることができる。
【発明を実施するための最良の形態】
【００１２】
図１から図５は、本発明の好ましい実施形態による魚釣用スピニングリール１０を示す。  
図１に全体を示すように、本実施形態の魚釣用スピニングリール１０は、リール本体１２と、リール本体１２から延出するリール取付脚部１４とを有し、このリール取付脚部１４の端部には、図示しない釣竿に取り付けられる竿取付部１４ａが形成されている。リール本体１２内にはハンドル軸１６が図示しないボール軸受を介して回転可能に支持されており、このハンドル軸１６の端部にハンドル１８が取付けられている。このハンドル軸１６のリール本体１２内に配置される部位には、駆動機構２０の一部を形成するドライブギア２２を配置してある。
【００１３】
ドライブギア２２には、ハンドル軸１６に対して直交する方向に延在しかつ軸受２４ａ，２４ｂを介してリール本体１２の筒状突部１２ａ内に回転可能に支持されたピニオンギア２６が噛合している。このピニオンギア２６は、円筒状構造の回転軸筒２８の基端部に形成されており、ピニオンギア２６と反対側の先端部には、ロータ３０の回転支軸である軸筒部３２が回り止めされて装着され、ナット３４によりこの軸筒部２８に一体的に固定されている。このナット３４の締付力は、軸筒部３２から、スペーサ２３を間に配置した一対の軸受２４ａ，２４ｂを介してリール本体１２の筒状突部１２ａで支えられる。このロータ３０の基端部の径方向に対向した部位に、一対の腕部３６が突設されており、この腕部３６は、ロータ３０の基端部から先端側に向けて軸方向に延び、その先端部に、ベール３８が反転自在に取付けられている。このベール３８の一方の端部は、ハンドル１８側に設けられた釣糸案内部（図示しない）に取り付けられている。
【００１４】
また、このピニオンギア２６および回転軸筒２８内には、スプール軸４０が摺動可能に支持されており、上述のドライブギア２２およびピニオンギア２６を介してハンドル軸１６で作動される通常のオシレーティング機構４２により、軸方向に沿う一定のストロークで往復駆動することができる。このスプール軸４０の先端には、釣糸が巻回される巻回胴部４４ａとロータ３０が配置されるスカート部４４ｂとを有するスプール４４が着脱可能に取付けられ、スプール軸４０と共にこのハンドル軸１６と直交する方向に往復動することができる。
【００１５】
この魚釣用スピニングリール１０は、ハンドル１８を回転操作してハンドル軸１６を回転させると、オシレーティング機構４２およびスプール軸４０を介してスプール４４が前後に一定ストロークで往復動すると同時に、ドライブギア２２およびピニオンギア２６を介してロータ３０が回転する。これにより、ロータ３０と共に回転する釣糸案内部を介して、スプール４４の巻回胴部４４ａに釣糸が均等に巻回される。
【００１６】
図２から図５に拡大して示すように、本実施形態のロータ３０は、上述の軸筒部３２を囲む円筒部４６と、この軸筒部３２の先端部と円筒部４６の中間部とを連結するディスク状部４８とを有し、円筒部４６はリール本体１２側およびスプール４０側の双方の端部が軸方向外方に開口する。この円筒部４６は、リール本体１２側が軸筒部３２よりも突出してリール本体１２の筒状突部１２ａを囲み、スプール４４側が回転軸筒２８よりも突出してナット３４をこの内部に収容する。この円筒部４６はスプール４４のストローク長よりも長く形成してあり、スプール４４が往復動する際、スカート部４４ｂから円筒部４６の内部が露出することはない。
【００１７】
ロータ３０内には、図４に実線の矢印Ｒで示す逆転方向すなわち釣糸繰出し方向に回転するのを阻止する逆転防止装置５０が設けられている。本実施形態の逆転防止装置５０は図２および図３に示すように、円筒部４６の内周に沿って所定角度回転可能に支持された環状構造の逆転防止体５２と、ロータ３０が逆転方向Ｒに回転したときに、この逆転防止体５２に係合してこの逆転防止体５２が逆転方向Ｒに移動するのを阻止する阻止部材５４と、逆転防止体５２とロータ３０との間に介在されてロータ３０の逆転を阻止するときに、このロータ３０が逆転防止体５２に与える衝撃力を吸収する弾発部材５６と、この弾発部材５６の変形を抑えてロータ３０内への弾性部材５６の保持性を向上する摩擦力を形成するフリクション部材５８とで形成されている。
【００１８】
図２，図３および図５に示すように、ロータ３０のディスク状部４８は、円筒部４６の内周面に沿って円弧状に延びる本実施形態では３つの切欠部４９が周方向に沿って同じ長さで半径方向および周方向に等間隔に形成されている。一方、このロータ３０に支持される逆転防止体５２は、円筒部４６の内周面に沿うリング状部６０と、互いに周方向に等間隔に離隔した位置でこのリング状部６０の端部からスプール４４側に突出する係合突部６２とを有し、この係合突部６２をリール本体１２側から切欠部４９内に突入させた状態で装着される。このロータ３０と逆転防止体５２との間には、例えば合成樹脂で形成された保護用環状体６４が介挿され、ロータ３０に対して逆転防止体５２と弾発部材５６とフリクション部材５８とが直接接触するのを防止されている。これにより、ロータ３０と逆転防止体５２および弾発部材５６との間の異種金属の接触による電食等の発生を防止することができ、更に、滑動性の向上を図ることもできる。
【００１９】
逆転防止体５２のリング状部６０は、径方向に厚肉に形成されてディスク状部４８で支えられる基部６０ａと、この基部６０ａに対して段部を形成すると共にその内周面に係止歯６１が形成される歯部６０ｂとを有し、この基部６０ａと歯部６０ｂとの間に形成される段部を介して、ディスク状部４８にネジ止めされた抜け止めプレート６３で、軸方向に移動不能でかつ回動可能に保持されている。
【００２０】
逆転防止体５２と共に抜け止めプレート６３で保持される保護用環状体６４は、リング状部６０とロータ３０の円筒部４６との間に介挿される周壁部６４ａと、リング状部６０の基部６０ａとロータ３０のディスク状部４８との間に介挿される平板部６４ｂと、それぞれがロータ３０の切欠部４９内に突入して逆転防止体５２のリング状部６０と共に上述の弾発部材５６およびフリクション部材５８の収容空間を規定するドーム部６４ｃとを有する。
【００２１】
平板部６４ｂは、隣接するドーム部６４ｃ間で、リング状部６０の基部６０ａに重なる状態に配置されており、この基部６０ａを超えて半径方向内方に突出することはない。また、各ドーム部６４ｃは、切欠部４９の壁面に当接する２つの円弧状の周壁部６５ａおよび２つの平坦状の端壁部６５ｂ（図３および図５参照）のスプール４４側を頂壁部６５ｃ（図２および図５参照）で閉じかつリール本体１２側を開口させて上述の切欠部４９に対応した円弧状に延設され、この開口に臨む側壁部の端部には、切欠部４９の周縁部に沿ってディスク状部４８に当接する係止縁部６４ｄ（図２参照）が形成されている。
【００２２】
本実施形態のフリクション部材５８は、この保護用環状体６４のドーム部６４ｃの周壁部６５ａに摩擦係合するため、これらの周壁部６５ａに対応する円弧状の側面５８ａを有する。また、リング状部６０ａおよび係合突部６２に対向する面はそれぞれ平坦に形成され、弾発部材５６に対向する端部には突起５８ｂが形成されている。この突起５８ｂを介して、本実施形態の弾発部材５６を形成する圧縮コイルバネの開口にこの突起５８ｂを嵌合（わずかな弾性変形が好ましい）することにより、弾発部材５６とフリクション部材５８とを容易に連結することができる。
【００２３】
このようなフリクション部材５８は、保護用環状体６４およびリール本体１２との間で、弾発部材５６の移動あるいは伸縮等の変形を抑制する摩擦力を形成することができるものであれば、どのような材料で形成することも可能である。例えばゴム材のような比較的柔軟な弾性力を有する材料で形成する場合には、ドーム部６４ｃの周壁部６５ｃに沿った形状に変形することができるため、側面５８ａを円弧状に精度良く形成する必要はなく、摩擦力を形成するための適宜の形状とすることができる。一方、例えば合成樹脂のような比較的硬質の材料で形成する場合には、周壁部６５ｃの内面を粗面に形成し、フリクション部材５８との間に形成する摩擦力を増大させる表面の粗面化処理が施される。いずれの場合も、フリクション部材５８と保護用環状体６４との間の摩擦力は、弾発部材５６であるコイルバネをその反発力に抗して一時的に圧縮した状態に保持することができる程度の大きさに設定される。
【００２４】
これらの逆転防止体５２と保護用環状体６４とを、ロータ３０に装着する場合は、保護用環状体６４の各ドーム部６４ｃ内に、逆転防止体５２の係合突部６２と、本実施形態ではそれぞれ同一寸法の圧縮コイルバネで形成した弾発部材５６と、フリクション部材５８とを挿入する。この弾発部材５６をドーム部６４ｃ内に挿入するときは、予め弾発部材５６の一端にフリクション部材５８を取付けておくのが好ましい。
【００２５】
このフリクション部材５８を一端に取付けた弾発部材５６は、反対側の先端を、逆転方向Ｒ(図４参照）の前方に位置する端壁部６５ｂに係止させて支え、周壁部６５ｃに沿ってドーム部６４ｃ内に延設し、フリクション部材５８を周壁部６５ｃ間に摩擦で挟持させる。これとは逆に、フリクション部材５８をドーム部６４ｃ内で位置決めした後、弾発部材５６を圧縮しつつ先端を端壁部６５ｂに係止させてもよい。いずれの場合も、フリクション部材５８とこれに対向する端壁部６５ｂとの間には、リング状部６０と共に逆転防止体５２を形成する係合突部６２を収容可能な間隙を形成しておくことが好ましい。
【００２６】
そして、フリクション部材５８とこれに対向する端壁部６５ｂとの間の間隙内に逆転防止体５２の係合突部６２を挿入すると、弾発部材５６の付勢力に抗して、フリクション部材５８が摩擦変形しながら押圧移動され、逆転防止体５２の係合突部６２が近接する端壁部６５ｂに当接される。これにより、保護用環状体６４と逆転防止体５２と弾発部材５６とフリクション部材５８とが１つの組立用ユニットを形成する。このユニットでは、各ドーム部６４ｃが保護用環状体６４の外周部に配置されていることにより、弾発部材５６とフリクション部材５８と逆転防止体５２とを組込む際に、最も広いスペースが確保され、しかも、コイルバネで形成された弾発部材５６を、周壁部６４ａに沿わせてフリクション部材５８の摩擦作用でドーム部６４ｃ内に装着保持することができるため、弾性部材５６とフリクション部材５８のドーム部６４ｃ内の姿勢が安定し、逆転防止体５２の係合突部６２の取付け作業が極めて簡単に行える。
【００２７】
更に、フリクション部材５８が、弾発部材５６を圧縮変形した状態でドーム部６４ｃ内に一時的に保持するため、本実施形態では３つである弾発部材５６を同時に圧縮しつつ係合突部６２を挿入する作業を行う必要はないので、これら３つの弾発部材５６の付勢力の影響を受けることなく、逆転防止体５２を保護用環状体６４に極めて簡単に取付けることが可能となる。
【００２８】
このように逆転防止体５２と弾発部材５６とフリクション部材５８とを保護用環状体６４に組込んでユニット構造とした後、各ドーム部６４ｃをディスク状部４８の切欠部４９内に挿入し、逆転防止体５２のリング状部６０の内周部に形成された段部を介して、抜け止めプレート６３でこのロータ３０に保持する。保護用環状体６４は、ドーム部６４ｃが切欠部４９に嵌合することにより、ロータ３０に対する回動を阻止され、平板部６４ｂがディスク状部４８とリング状部６０との間に挟持され、係止縁部６４ｄがディスク状部４８と抜け止めプレート６３との間に保持されることにより、軸方向移動を阻止される。これに対し、逆転防止体５２は、保護用環状体６４と抜け止めプレート６３との間で接触保持されているだけであるため、ドーム部６４ｃ内の係合突部６２がフリクション部材５８を介して弾発部材５６を圧縮しつつロータ３０に対して回動することができる。なお、本実施形態では、図２に示すように、逆転防止体５２の外周面に形成した環状溝５２ａ内にＯリング状の摩擦部材６６（ゴム材）を配置し、逆転防止体５２と保護用環状体６４との間に、摩擦力を形成可能な構造に形成してある。
【００２９】
図２および図４に示すように、逆転防止体５２が逆転方向Ｒに回転するのを阻止する阻止部材５４は、リング状部６０の係止歯６１に対向した部位で、基端部をリール本体１２の筒状突部１２ａの端面に設けられた支軸６８に回動自在に保持され、先端部の係止爪５４ａが逆転方向Ｒの後方に向けて、係止歯６１に係合する位置までレバー状に延びる。この阻止部材５４の中間位置から、作動ピン６９が突出し、摩擦板７０に形成された長孔７２内に挿入され、この長孔７２で案内されつつ移動することができる。
【００３０】
摩擦板７０は、Ｃ字状に形成された基部７４を軸筒部３２の周部に弾性的に摩擦係合させて保持されており、筒状突部１２ａから突出するストッパピン７６で、その移動範囲が規定されている。すなわち、ロータ３０が逆転方向Ｒに回転すると、その軸筒部３２および円筒部４６が逆転方向Ｒに移動し、摩擦板７０は、軸筒部３２と共に逆転方向Ｒに移動する。これにより、摩擦板７０は、長孔７２および作動ピン６９を介して阻止部材５４を移動し、係止爪５４ａを係止歯６１に係合させる。これにより、係止歯６１を形成した逆転防止体５２は、阻止部材５４を介してリール本体１２の筒状突部１２ａで逆転方向Ｒへの回転を阻止される。これとは逆に、ハンドル１８により、ロータ３０が図４に点線で示す正転方向Ｆ（釣糸巻取方向）に回転すると、摩擦板７０が軸筒部３２と共に時計方向に回転し、係止爪５４ａが係止歯６１から離隔する方向に阻止部材５４を回動した後、ストッパピン７６で係止される。これにより、阻止部材５４が図４に二点鎖線で示す位置に保持される。阻止部材５４と係止歯６１との係合が解除されることにより、ロータ３０は、阻止部材５４に阻害されること無く、正転方向Ｆに回転することができる。
【００３１】
この魚釣用スピニングリール１０には、図４に二点鎖線で示す位置に阻止部材５４を配置してロータ３０を正逆転可能とする状態と、実線で示す位置に阻止部材５４を配置して正転可能でかつ逆転不能の状態とに切換える切換カム７８が設けられており、この切換カム７８の切換操作を、図１に示すように、リール本体１２の後端壁部に設けた切換レバー８０を通じて行うことができる。切換レバー８０が逆転防止位置に配置されると、阻止部材５４は図４に実線で示す位置に配置される。また、この逆転防止位置から正逆転可能位置に切換えられると、切換カム７８により、阻止部材５４は二点鎖線で示す位置に配置され、ロータ３０は逆転方向Ｒおよび正転方向Ｆのいずれにも自由に回転することができる。
【００３２】
このように形成された逆転防止装置５０は、阻止部材５４が図４に実線で示す逆転防止位置にあるときに、例えば魚の引き等で、軸筒部３２を中心としてロータ３０を逆転方向Ｒに回転する力に急激に作用すると、この急激な力が一対の腕部３６（図１）を介してロータ３０に作用し、ロータ３０が逆転方向Ｒに回転し、釣糸を繰出す。このとき、ロータ３０に設けられた逆転防止装置５０は、逆転防止体５２が係止歯６１およびこれに係合する阻止部材５４によりリール本体１２に対する回動を阻止されているため、阻止部材５４に対してロータ３０および保護用環状体６４が逆転方向に回転し、弾発部材５６を係合突部６２との間で圧縮すなわち変形させる。これにより、釣糸案内部を介する釣糸の繰り出しに伴う大きな衝撃力が緩和される。
【００３３】
各弾発部材５６が完全に圧縮されると、この圧縮された弾発部材５６およびフリクション部材５８を介してロータ３０のディスク状部４８と逆転防止体５２の係合突部６２とが連結され、ロータ３０の逆転が阻止される。ロータ３０に作用する逆転方向Ｒの力が複数の弾発部材５６を介して、しかもディスク状部４８から複数の係合突部６２に作用するため、力を伝達する支持面積が極めて大きく、耐支持強度が極めて大きい。特に、係合突部６２と弾発部材５６との間にはフリクション部材５８が配置されるため、逆転防止体５２と弾発部材５６との間の力を伝達する支持面積が充分に大きく形成され、安定した状態で衝撃を吸収することができる。
【００３４】
このように弾発部材５６が圧縮変形されるときは、保護用環状体６４が係合突部６２及びこの係合突部６２で支えられたフリクション部材５８に対して移動するため、保護用環状体６４のドーム部６４ｃとフリクション部材５８との間には、移動を開始するときに、弾発部材５６の変形を抑制する静止摩擦力が作用し、移動を開始した後は、運動摩擦力が作用する。これらの摩擦力は弾発部材５６の衝撃吸収力を増大し、したがって、より大きな衝撃力を吸収することができる。また、リング状部６０に装着されたＯリング状の摩擦部材６６も、フリクション部材５８と同様に、逆転防止体５２とロータ３０の摩擦力により、弾発部材５６の衝撃吸収力を増大する。
【００３５】
この魚釣用スピニングリール１０によると、阻止部材５４に係止歯６１を介して係合する逆転防止体５２がロータ３０の円筒部４６の内周部に所定角度回転可能に支持され、弾発部材５６で衝撃を吸収することにより、この逆転防止体５２が軸筒部３２から径方向外方に大きく離間した位置で、ロータ３０の逆転時の衝撃が吸収され、弾発部材５６を大型化あるいは重量化して強力にすることなく、ロータ３０の逆転時の大きな衝撃力を吸収することができる。更に、この逆転防止体５２を安定した状態で支持することができるため、長期間にわたって安定した衝撃吸収性能を得ることができる。
【００３６】
更に、フリクション部材５８による摩擦力により、弾発部材５６を変形させた状態に、少なくとも一時的に保持することができることにより、ロータ３０に対する逆転防止体５２および弾発部材５６の組み込みを容易に行うことができる。このフリクション部材５８が逆転防止体５２に対向する弾発部材５６の端部に設けられる場合には、逆転防止体５２がこのフリクション部材５８を介して弾発部材５６を押圧するため、力を伝達する支持面積が充分大きく、ロータ逆転防止時の安定した衝撃吸収性能を得ることができる。
【００３７】
図６は変形例によるフリクション部材８２を示す。なお、以下に説明する変形例あるいは実施形態は、図１から図５を参照して説明した実施形態と基本的には同様であるため、同様な部位には同様な符号を付し、その詳細な説明を省略する。
【００３８】
図６の（Ａ）およびこのＢ−Ｂ線に沿う断面を示す（Ｂ）から明らかなように、この変形例によるフリクション部材８２はスリーブ状に形成され、弾発部材５６の係合突部６２に近接する端部の外周部に配置されている。図示のように、フリクション部材８２から弾発部材５６の端部を係合突部６２側に突出させてもよいが、この弾発部材５６の端部と面一状に配置してもよい。また、弾発部材５６の端部をドーム部６４ｃ内に保持し、弾発部材５６の変形を妨げる力を形成できるものであれば、一部だけでなく、例えば弾発部材５６の外周部の全長にわたって延設してもよい。
【００３９】
尚、フリクション部材８２を、弾発部材５６の外周ではなく、ドーム部６４ｃの周壁部６５ａの内面に貼付形成して摩擦力を作用させても良い。
【００４０】
図７に示すフリクション部材８４は、ドーム部６４ｃの周壁部６５ａおよび頂壁部６５ｃの３つの内面に摺接するブロック状に形成してある。この周壁部６５ａの内面には、ガイド溝８６を形成してあり、フリクション部材８４の側面から突出するた突条８８をこのガイド溝８６に嵌合することにより、このフリクション部材８４を安定した状態で移動することができる。これとは逆に、ガイド溝８６をフリクション部材８４に形成し、このガイド溝８６に嵌合する突条８８をドーム部６４ｃの周壁部６５ａに形成してもよい。
【００４１】
なお、上述の実施形態あるいは変形例では、３つのドーム部６４ｃを周方向に沿って等間隔に配置し、それぞれに弾発部材５６を配置したが、このようなドーム部６４ｃは２つあるいは４つ以上であってもよく、この場合には、ロータ３０のディスク状部４８にも対応する数の切欠部４９を形成する。
【図面の簡単な説明】
【００４２】
【図１】本発明の好ましい実施形態による魚釣用スピニングリールの一部を欠截した部分断面図。
【図２】図１の魚釣用リールのロータの内部の逆転防止装置の説明図。
【図３】図２のＩＩＩ−ＩＩＩ線に沿う断面図。
【図４】図２のＩＶ−ＩＶ線に沿う断面図。
【図５】図２の逆転防止装置の保護用環状部材に対する逆転防止体と弾発部材との配置状態を示す説明図。
【図６】変形例による逆転防止装置をドーム部に配置した状態で示す説明図。
【図７】他の変形例による逆転防止装置の図６と同様な説明図。
【符号の説明】
【００４３】
１０…魚釣用スピニングリール、１２…リール本体、１８…ハンドル、３０…ロータ、３２…軸筒部、４６…円筒部、５０…逆転防止装置、５２…逆転防止体、５４…阻止部材、５６…弾発部材、５８…フリクション部材。
【図１】
2008043295.tif 000003
【図２】
2008043295.tif 000004
【図３】
2008043295.tif 000005
【図４】
2008043295.tif 000006
【図５】
2008043295.tif 000007
【図６】
2008043295.tif 000008
【図７】
2008043295.tif 000009